(57)【要約】【課題】頭部装着型表示装置のアームが破損してしまった場合にも、低コストで、使用者に不都合を生じさせることなく速やかに修理することができ、また、使用者にとって利便性を高めるとともに、メーカ側のコストを抑える。【解決手段】ホルダ５が、表示素子を駆動するための駆動信号を生成する駆動回路を少なくとも含む電子基板１２を備えた第１の筐体１０と、表示ユニット２１が設けられた第２の筐体２０と、駆動回路と表示素子とを電気的に接続する配線を有するとともに、第１の筐体１０と第２の筐体２０とを接続する、柔軟性および形状維持性を有した支持アーム３０Ａと、を備え、支持アーム３０Ａが、第１の筐体１０および第２の筐体２０の少なくとも一方に対して着脱可能である頭部装着型表示装置１を提供する。【選択図】図１
2014007460.tif 000002
【特許請求の範囲】
【請求項１】
使用者の頭部に装着されるホルダと、
該ホルダにより支持され、表示素子を有する表示ユニットと、を備え、
前記ホルダが、
前記表示素子を駆動するための駆動信号を生成する駆動回路を少なくとも含む電子基板を備えた第１の筐体と、
前記表示ユニットが設けられた第２の筐体と、
前記駆動回路と前記表示素子とを電気的に接続する配線を有するとともに、前記第１の筐体と前記第２の筐体とを接続する、柔軟性および形状維持性を有した支持アームと、を備え、
前記支持アームが、前記第１の筐体および前記第２の筐体の少なくとも一方に対して着脱可能である頭部装着型表示装置。
【請求項２】
前記支持アームが、筒状で柔軟性を有したアウターチューブと、
前記アウターチューブ内に挿通された芯材と、を有する請求項１に記載の頭部装着型表示装置。
【請求項３】
前記支持アームが、金属製の線材を螺旋状に巻いてなる筒状で柔軟性および形状維持性を有したフレキシブルチューブと、
前記フレキシブルチューブ内に挿通された前記配線と、を有する請求項１又は請求項２に記載の頭部装着型表示装置。
【請求項４】
使用者の頭部に装着されるホルダと、
該ホルダにより支持され、表示素子を有する表示ユニットと、を備え、
前記ホルダが、
前記表示素子を駆動するための駆動信号を生成する駆動回路を少なくとも含む電子基板を備えた第１の筐体と、
前記表示ユニットが設けられた第２の筐体と、
前記駆動回路と前記表示素子とを電気的に接続する配線を有するとともに、前記第１の筐体と前記第２の筐体とを接続する、柔軟性および形状維持性を有した支持アームと、を備え、
前記支持アームが、筒状で柔軟性を有したアウターチューブと柔軟性および形状維持性を有した芯材とを有し、該芯材が前記アウターチューブに着脱自在である頭部装着型表示装置。
【請求項５】
前記第２の筐体が、使用者の頭部または使用者の頭部に装着された眼鏡のテンプルへの取付部をさらに備える請求項１乃至請求項４の何れか１項に記載の頭部装着型表示装置。
【請求項６】
前記支持アームが、前記アウターチューブに前記配線がインサート成形され、
前記アウターチューブの端部に、前記配線が電気的に接続されたコネクタが設けられるとともに、該コネクタが、前記第１の筐体または前記第２の筐体の端部に設けられた筐体側コネクタに着脱可能に接続される請求項２又は請求項４に記載の頭部装着型表示装置。
【請求項７】
前記芯材が、前記アウターチューブと別体である請求項２，請求項４又は請求項６の何れか１項に記載の頭部装着型表示装置。
【請求項８】
前記芯材が、前記支持アームに形成された孔に着脱自在に挿通される請求項２又は請求項４に記載の頭部装着型表示装置。
【請求項９】
前記芯材が、前記支持アームの外周面に沿って螺旋状に巻き付けられている請求項４に記載の頭部装着型表示装置。
【発明の詳細な説明】
【技術分野】
【０００１】
本発明は、頭部装着型表示装置に関するものである。
【背景技術】
【０００２】
従来、頭部装着型表示装置において、画像を形成する表示ユニットが、頭部に装着可能なホルダに、チューブ状のフレキシブル部材からなる支持アームを介して支持された技術が知られている（例えば、特許文献１参照。）。
また、近年、頭部装着型表示装置を、無線を介して映像信号等を受信することによってワイヤレスとしたものもある。
この頭部装着型表示装置においては、外部のコンピュータ等の画像源からケーブルや無線を介して送られる駆動信号によって、表示ユニットが使用者の眼に向けて画像表示光を出射する。
【０００３】
ところで、上記したような頭部装着表示装置においては、使用者が頭部にホルダを装着した状態で、フレキシブル部材からなる支持アームを適宜曲げることによって、表示ユニットの位置を使用者の眼に対して適切な位置に調節する。
【先行技術文献】
【特許文献】
【０００４】
【特許文献１】特開２０００−２２４５１９号公報
【発明の概要】
【発明が解決しようとする課題】
【０００５】
しかし、長期にわたって頭部装着型表示装置を使用して支持アームが多数回曲げられたり、頭部装着側表示装置を落としたりして過大な力が作用したことによって、支持アームが破損してしまうことがある。このような場合、頭部装着型表示装置全体を交換しなければならなかったり、メーカ側でないと破損部の修理が行えなかったりして、使用者にとっては、修理の間、頭部装着型表示装置を使用することができず、不都合が生じるという問題がある。
【０００６】
また、例えば、使用者が子供である場合と大人である場合とでは、頭の大きさが大幅に異なることがある。このような場合、支持アームを折り曲げるだけでは、表示ユニットの位置を使用者にとって適切な位置に設定できないことがある。そこで、支持アームの長さが異なる複数種の頭部装着型表示装置を用意することが考えられる。しかし、それでは、使用者側においては最適な長さの支持アームを有した頭部装着型表示装置を選択するのが難しく利便性を損ね、メーカ側においても複数種の頭部装着型表示装置をラインアップしなければならないためにコストがかかる。
【０００７】
本発明は、このような事情に鑑みてなされたものであって、頭部装着型表示装置の支持アームが破損してしまった場合にも、低コストで、使用者に不都合を生じさせることなく速やかに修理することができ、また、使用者にとって利便性が高く、メーカ側にとってもコストを抑えることのできる頭部装着型表示装置を提供することを目的とする。
【課題を解決するための手段】
【０００８】
上記課題を解決するために、本発明の頭部装着型表示装置は以下の手段を提供する。
本発明の一態様は、使用者の頭部に装着されるホルダと、該ホルダにより支持され、表示素子を有する表示ユニットと、を備え、前記ホルダが、前記表示素子を駆動するための駆動信号を生成する駆動回路を少なくとも含む電子基板を備えた第１の筐体と、前記表示ユニットが設けられた第２の筐体と、前記駆動回路と前記表示素子とを電気的に接続する配線を有するとともに、前記第１の筐体と前記第２の筐体とを接続する、柔軟性および形状維持性を有した支持アームと、を備え、前記支持アームが、前記第１の筐体および前記第２の筐体の少なくとも一方に対して着脱可能である頭部装着型表示装置を提供する。
これにより、支持アームが交換可能となる。したがって、支持アームが破損した場合にはこれを交換することができる。また、長さ、硬さ、色、デザイン等が異なる複数種の支持アームを予め用意しておくことで、使用者の好みに応じて支持アームを適宜交換することもできる。
【０００９】
また、上記態様においては、前記支持アームが、筒状で柔軟性を有したアウターチューブと、前記アウターチューブ内に挿通された芯材と、を有していてもよい。
これにより、アウターチューブを変形させると、その内部の芯材も変形し、その形状を維持することができる。
【００１０】
また、上記態様においては、前記支持アームが、金属製の線材を螺旋状に巻いてなる筒状で、柔軟性および形状維持性を有したフレキシブルチューブと、前記フレキシブルチューブ内に挿通された前記配線と、を有していてもよい。
【００１１】
本発明の一態様は、使用者の頭部に装着されるホルダと、該ホルダにより支持され、表示素子を有する表示ユニットと、を備え、前記ホルダが、前記表示素子を駆動するための駆動信号を生成する駆動回路を少なくとも含む電子基板を備えた第１の筐体と、前記表示ユニットが設けられた第２の筐体と、前記駆動回路と前記表示素子とを電気的に接続する配線を有するとともに、前記第１の筐体と前記第２の筐体とを接続する、柔軟性および形状維持性を有した支持アームと、を備え、前記支持アームが、筒状で柔軟性を有したアウターチューブと柔軟性および形状維持性を有した芯材とを有し、該芯材が前記アウターチューブに着脱自在である頭部装着型表示装置を提供する。
これにより、芯材のみを適宜交換することが可能となる。従って、芯材が破損したり劣化したときには芯材のみを交換することで、低コストでその機能を維持することができる。
【００１２】
また、上記態様においては、前記第２の筐体が、使用者の頭部または使用者の頭部に装着された眼鏡のテンプルへの取付部をさらに備えることもできる。
【００１３】
また、上記態様においては、前記支持アームが、前記アウターチューブに前記配線がインサート成形され、前記アウターチューブの端部に、前記配線が電気的に接続されたコネクタが設けられるとともに、該コネクタが、前記電子基板に電気的に接続された筐体側コネクタに着脱可能に接続されていてもよい。
【００１４】
また、上記態様においては、前記芯材が、前記アウターチューブと別体であってもよい。
これにより、アウターチューブのみ、あるいは芯材のみを適宜交換することができる。
【００１５】
また、上記態様においては、前記芯材が、前記支持アームに形成された孔に着脱自在に挿通されていてもよい。
また、上記態様においては、前記芯材が、前記支持アームの外周面に沿って螺旋状に巻き付けられていてもよい。
【発明の効果】
【００１６】
本発明によれば、頭部装着型表示装置の支持アームが破損してしまった場合にも、低コストで、使用者に不都合を生じさせることなく速やかに修理することができ、また、使用者にとって利便性が高く、メーカ側にとってもコストを抑えることのできるという効果を奏する。
【図面の簡単な説明】
【００１７】
【図１】本発明の第１実施形態にかかる頭部装着型表示装置の外観を示す平面図及び側面図である。
【図２】本発明の第１実施形態にかかる頭部装着型表示装置の部品レイアウト構成を示すブロック図である。
【図３】本発明の第１実施形態にかかる頭部装着型表示装置を眼鏡のテンプルに装着した状態を示す平面図である。
【図４】本発明の第１実施形態にかかる頭部装着型表示装置の支持アームの構成を示す図である。
【図５】本発明の第１実施形態にかかる頭部装着型表示装置の支持アームの詳細な構成を示す斜視図および斜視展開図である。
【図６】本発明の第１実施形態にかかる頭部装着型表示装置の支持アームの変形例であり、支持アームの両端部にコネクタを設け、長さの異なる支持アームを装着可能とした構成を示す側面図である。
【図７】本発明の第２実施形態にかかる頭部装着型表示装置の構成を示す斜視図および要部拡大図である。
【図８】本発明の第２実施形態にかかる頭部装着型表示装置の変形例を示す斜視図である。
【図９】本発明の第２実施形態にかかる頭部装着型表示装置の芯材の構成を示す側面図および断面図である。
【図１０】本発明の第３実施形態にかかる頭部装着型表示装置の構成を示す側面図である。
【図１１】本発明の第３実施形態にかかる頭部装着型表示装置の芯材の構成を示す断面図である。
【発明を実施するための形態】
【００１８】
以下に、本発明に係る頭部装着型表示装置の実施形態について、図面を参照して説明する。
〔第１実施形態〕
本発明の第１実施形態に係る頭部装着型表示装置１は、図１に示されるように、表示ユニット２１と、表示ユニット２１を支持し、使用者の頭部に装着されるホルダ５と、を有する。
【００１９】
ホルダ５は、使用者の頭部（例えば耳）に係止するための頭部支持部材（取付部）１１を有した第１の筐体１０と、表示ユニット２１が設けられた第２の筐体２０と、第１の筐体１０と第２の筐体２０とを連結する支持アーム３０Ａと、を有している。
【００２０】
第１の筐体１０は、支持アーム３０Ａ側に位置する電装部１０ａと、電装部１０ａに連続し、ほぼ一定の断面積を有したバッテリ部１０ｂと、を有している。
【００２１】
図１、図２に示すように、電装部１０ａには、外部からブルートゥース等の無線通信を介して送信される信号を受信する無線通信回路１２ａ、表示ユニット２１を駆動する信号を生成および出力する駆動回路１２ｂおよび制御回路１２ｃ等を含む電子基板１２が収容されている。また、バッテリ部１０ｂには、電子基板１２に電力を供給するバッテリ１３が収容されている。
【００２２】
図１に示したように、頭部支持部材１１は、第１の筐体１０との間に使用者が装着した眼鏡のテンプル部を挟み込むクランプ部１１ａと、使用者の頭部、例えば使用者の耳に係止可能なフック１１ｂと、耳の前後で頭部に突き当たるパッド１１ｃと、を備えている。
クランプ部１１ａは、クランプ部１１ａよりも断面積の小さな連結部（支持位置）１５を介して第１の筐体１０の電装部１０ａの外周面に取り付けられている。
【００２３】
図３に示すように、このような頭部支持部材１１では、クランプ部１１ａと第１の筐体１０との間に眼鏡１００のテンプル１０１を押し当てると、連結部１５が弾性変形することによって、クランプ部１１ａと第１の筐体１０との隙間が拡がり、テンプル１０１がこの隙間に挿入される。そして、クランプ部１１ａと第１の筐体１０との間でテンプル１０１を挟み込むことで、頭部装着型表示装置１が眼鏡１００のテンプル１０１に支持される。
なお、頭部支持部材１１の細部の形状や構成については、上記したものに何ら限るものではない。
【００２４】
このようにして、頭部支持部材１１が第１の筐体１０の電装部１０ａに設けられ、重量の大きなバッテリ１３は、第２の筐体２０とは頭部支持部材１１を挟んで反対側に位置する第１の筐体１０のバッテリ部１０ｂに設けられている。
【００２５】
第２の筐体２０は、支持アーム３０Ａ側の端部からその断面積が漸次増大し、その反対側の端部に、表示ユニット２１を構成する接眼光学系２２が設けられている。
この接眼光学系２２は、支持アーム３０Ａおよび第２の筐体２０が延びる方向に対し、使用者が頭部装着型表示装置１を頭部に装着した状態で、使用者の視界の範囲内に位置するよう設けられている。
【００２６】
図２に示すように、第２の筐体２０は、表示ユニット２１を構成するＬＣＤ等の表示素子２３、照明系２４を内蔵している。
図１に示すように、支持アーム３０Ａは、第１の筐体１０側から第２の筐体２０側に向けて、ほぼ一定の外径を有した棒状をなしている。
【００２７】
この支持アーム３０Ａは、使用者が手で自在に曲げることのできる柔軟性と、手を離せば、そのままの形状を維持できる形状維持性と、を有したものとする。これにより、使用者が支持アーム３０Ａを曲げることによって、第１の筐体１０に対する第２の筐体２０の位置や向きを適宜調整できる。具体的には、接眼光学系２２の光軸の使用者の瞳への位置合わせ、使用者の瞳に対する接眼光学系２２の光軸角度を変えることによる、使用者の視界における表示画面位置の変更、不使用時に使用者の視界の邪魔にならない位置への接眼光学系２２の退避、等のために、支持アーム３０Ａを曲げて第２の筐体２０の位置や向きを調整する。
【００２８】
なお、この支持アーム３０Ａは、第１の筐体１０側の端部において、第１の筐体１０に対して着脱可能である。
図４、図５に示すように、支持アーム３０Ａは、筒状で、弾性変形可能なゴム系材料、シリコン系材料等からなるアウターチューブ３１と、アウターチューブ３１内に挿通された、金属製の線材等からなる芯材３２と、を有する。
【００２９】
アウターチューブ３１には、第１の筐体１０内の電子基板１２と第２の筐体２０内の表示素子２３とを電気的に接続する複数本の配線３３がインサート成形により内蔵されている。アウターチューブ３１の一端側には、これらの配線３３が電気的に接続された円環状のコネクタ３４が設けられている。
【００３０】
コネクタ３４は、アウターチューブ３１の端部に設けられたジョイント部材３１ａに対して着脱可能とされており、コネクタ３４をジョイント部材３１ａから取り外した状態では、芯材３２を抜き差しできるようになっている。
【００３１】
第１の筐体１０側の端部には、第１の筐体１０に内蔵された電子基板１２に電気的に接続されたコネクタ（筐体側コネクタ）１７が設けられている。
第１の筐体１０側のコネクタ１７と、支持アーム３０Ａ側のコネクタ３４とを互いに嵌合させることによって、第１の筐体１０と支持アーム３０Ａとを機械的に連結するとともに、電子基板１２と表示素子２３とを電気的に接続する。
コネクタ１７，３４を互いに嵌合させると、第１の筐体１０の端部に支持アーム３０Ａのアウターチューブ３１の端部が突き合わされた状態となる。
【００３２】
このような頭部装着型表示装置１においては、外部の、例えばパーソナルコンピュータ装置、テレビジョン、ＨＤＤ（Hard disk drive）やＤＶＤ（Digital Versatile Disc）等を用いた映像再生装置等から、無線を介して送信される映像（画像を含む）信号を、第１の筐体１０内に設けられた電子基板１２の無線通信回路１２ａで受信する。無線通信回路１２ａで受信した映像信号は、駆動回路１２ｂにおいて、表示ユニット２１の表示素子２３を駆動するための駆動信号に変換される。このようにして駆動回路１２ｂで生成された駆動信号は第２の筐体２０の表示ユニット２１に伝送される。
【００３３】
表示ユニット２１においては、伝送された駆動信号により表示素子２３が駆動され、表示素子２３は、駆動信号に応じた映像を表示する。表示素子２３に表示された映像は、照明系２４で発する光により、接眼光学系２２に導かれ、接眼光学系２２では、導かれた映像を拡大して使用者の瞳に導光し、これによって使用者は、その拡大虚像を視認することができる。
【００３４】
上述したような頭部装着型表示装置１によれば、支持アーム３０Ａは、第１の筐体１０側の端部において、コネクタ３４を介して第１の筐体１０に対して着脱可能である。これにより、支持アーム３０Ａを適宜交換することが可能となる。したがって、支持アーム３０Ａが破損したり劣化したりしたときには、支持アーム３０Ａのみを交換することで、低コストでその機能や外観を維持することができ、使用者に不都合を生じさせるのを抑える。
【００３５】
また、使用者がスポーツ等激しい動作を行う場合には、表示ユニット２１が不用意に動かないように、芯材３２は硬い方が好ましい。また、状況に応じて頻繁に表示ユニット２１の位置を移動させる場合には、芯材３２は柔らかい方が、支持アーム３０Ａの変形を容易に行えるために好ましい。そこで、硬さが異なる芯材３２を有した複数種の支持アーム３０Ａや、長さや色等が異なる複数種の支持アーム３０Ａを用意しておくことにより、使用者の好みに応じて支持アーム３０Ａを適宜交換することができ、使用者の利便性を高めることができる。
【００３６】
また、芯材３２を、第１の筐体１０から取り外した状態において、アウターチューブ３１に対して芯材３２を適宜抜き差しできるようにしておけば、芯材３２のみを交換することで、破損や劣化の補修や、好みの硬さへの変更を、より低コストでかつ容易に行うことができる。
【００３７】
〔第１実施形態の変形例〕
なお、上記第１実施形態では、アウターチューブ３１の他端に、上記した第２の筐体２０が一体に取り付けられた構成としたが、これに限るものではなく、第２の筐体２０と支持アーム３０Ａとの接続部についても、第１の筐体１０側の端部と同様の構成で着脱可能に接続できる構成とすることができる。これには、図６に示すように、アウターチューブ３１の他端側に円環状のコネクタ３５を設ける。また、第２の筐体２０側の端部には、表示素子２３、照明系２４に電気的に接続されたコネクタ（筐体側コネクタ）２７を設ける。これらコネクタ３５，２７を嵌合させることにより、支持アーム３０Ａと第２の筐体２０を機械的および電気的に接続することができる。
【００３８】
さて、上記第１実施形態において、頭部装着型表示装置１の支持アーム３０Ａの構成を例示したが、上記に例示したもの以外にも、以下に示す複数例のような構成とすることもできる。なお、以下の説明において、頭部装着型表示装置１の全体構成については、上記第１実施形態と同様であり、支持アーム３０Ａの細部の構成が異なるのみであるので、上記第１実施形態と共通する構成については同符号を付してその説明を省略する。
【００３９】
〔第２実施形態〕
図７に示すように、本発明の第２実施形態に係る頭部装着型表示装置１の支持アーム３０Ｂは、配線３３（図５（ｂ）参照）がインサート成形されたアウターチューブ３１と、このアウターチューブ３１内に挿通された芯材４１と、を有する構成とすることもできる。
【００４０】
芯材４１は、金属製の線材等からなり、柔軟性を有したアウターチューブ３１内に挿通されることで、支持アーム３０Ｂの変形と、変形した形状での維持を可能とする。このような芯材４１は、その直径を、０．５〜１．２ｍｍ程度とするのが好ましい。
この場合、芯材４１は、図７（ｂ）に示すように、第１の筐体１０に開口部１８を形成し、この開口部１８からアウターチューブ３１に形成された孔（図示無し）に挿入するとともに、芯材４１の端部に設けられた固定部４２を開口部１８に嵌め合わせることで、芯材４１を交換可能とすることもできる。これにより、芯材４１が劣化した場合には、適宜交換することが可能となる。
【００４１】
上述したような支持アーム３０Ｂを有する頭部装着型表示装置１は、第１の筐体１０側の端部において、芯材４１が、アウターチューブ３１に対して着脱可能である。これにより、芯材４１のみを適宜交換することが可能となる。したがって、芯材４１が破損したり劣化したりしたときには、芯材４１のみを交換することで、低コストでその機能を維持することができ、使用者に不都合を生じさせるのを抑える。さらに、硬さが異なる芯材４１を用意しておくことにより、使用者の好みに応じて芯材４１の硬さを変えることができ、使用者の利便性を高めることができる。
【００４２】
なお、上記実施形態において、芯材４１をアウターチューブ３１に形成された孔（図示無し）内に挿通させるのではなく、図８に示すように、アウターチューブ３１の外周面に沿って芯材４３を螺旋状に巻きつける構成とすることもできる。
この場合、第２の筐体２０に、芯材４３の先端部を固定するための凹部２９を形成するのが好ましい。
この構成においては、芯材４３がアウターチューブ３１の外周面側に露出して設けられているので、交換作業を容易に行うことができる。
【００４３】
上記したような芯材４１，４３は、図９に示すように、樹脂素材からなるコート層４４で被覆するようにしても良い。
また、アウターチューブ３１の外周面に芯材４３を巻きつける場合、アウターチューブ３１と芯材４３を、樹脂の皮膜で覆うようにしても良い。
【００４４】
なお、上記に示した第１、第２実施形態では、配線３３をアウターチューブ３１にインサート成形する構成としたが、配線３３はアウターチューブ３１の内部に挿通させる構成とすることもできる。
また、アウターチューブ３１に芯材３２，４１，４３を挿通させる構成としたが、アウターチューブ３１と芯材３２，４１，４３とを一体に成形する構成とすることも可能である。
【００４５】
〔第３実施形態〕
図１０に示すように、本発明の第２実施形態に係る頭部装着型表示装置１の支持アーム３０Ｃは、例えば、中空のフレキシブルチューブ５１と、フレキシブルチューブ５１内に挿通され、第１の筐体１０内の電子基板１２と第２の筐体２０内の表示素子２３とを電気的に接続する配線５２と、フレキシブルチューブ５１を覆う、樹脂系材料やゴム系材料等からなるスリーブ５３と、を有している。
【００４６】
フレキシブルチューブ５１は、金属製の線材を螺旋状に巻いてなるもので、使用者が手で自在に曲げることのできる柔軟性と、手を離せば、そのままの形状を維持できる形状維持性と、を有している。このフレキシブルチューブ５１は、インサート成型によりスリーブ５３に覆われている。
【００４７】
また、フレキシブルチューブ５１は、図１１に示すように、金属製の断面円形の線材５１ａを螺旋状に巻いたコイルスプリング状にするとともに、フレキシブルチューブ５１の外周面側において互いに隣接する線材５１ａ，５１ａの間に、金属製の断面三角形（くさび状）の線材５１ｂを巻き付けた構成とすることもできる。このフレキシブルチューブ５１は、その内径を２．５ｍｍ以上、外径を６ｍｍ以下とするのが好ましい。
【００４８】
配線５２は、その一端が第２の筐体２０の表示素子２３、照明系２４（図２参照）に電気的に接続されている。配線５２の他端には、第１の筐体１０内の電子基板１２に電気的に接続するためのコネクタ５５が設けられ、コネクタ５５は、第１の筐体１０内の電子基板１２に接続されたコネクタ１７に接続可能である。
【００４９】
上述したような支持アーム３０Ｃを有する頭部装着型表示装置１は、フレキシブルチューブ５１の変形によって、表示ユニット２１の位置をユーザの好みに応じて適宜調整することができる。
そして、フレキシブルチューブ５１を形成する線材の太さや材質、長さを異ならせることで、フレキシブルチューブ５１を曲げるときの硬さを適宜変更することができる。フレキシブルチューブ５１の長さを変更するときには、配線５２およびスリーブ５３についても同様に長さが異なるものに変更する。
【００５０】
また、フレキシブルチューブ５１や配線５２等が破損したときには、これらを適宜変更して修理等を行うことができる。
加えて、スリーブ５３の色やデザインが互いに異なるものを複数種用意しておくことにより、利用者の好みに応じてこれを適宜変更することができる。
【００５１】
なお、上記各実施形態で示した構成以外にも、本発明の主旨を逸脱しない範囲内であれば、適宜の変更、構成の追加・削除を行うことができる。
例えば、頭部装着型表示装置１は、眼鏡１００のテンプル１０１ではなく、使用者の耳等に直接係止させる構成とすることもできる。
また、上記各実施形態で示した構成を適宜組み合わせることも可能である。
【符号の説明】
【００５２】
１  頭部装着型表示装置
５  ホルダ
１０  第１の筐体
１０ａ  電装部
１０ｂ  バッテリ部
１１  頭部支持部材
１２  電子基板
１２ａ  無線通信回路
１２ｂ  駆動回路
１２ｃ  制御回路
１３  バッテリ
１７，２７  コネクタ（筐体側コネクタ）
１８  開口部
２０  第２の筐体
２１  表示ユニット
２２  接眼光学系
２３  表示素子
２４  照明系
３０Ａ，３０Ｂ，３０Ｃ  支持アーム
３１  アウターチューブ
３２，４１，４３  芯材
３３，５２  配線
３４，３５  コネクタ
５１  フレキシブルチューブ
５１ａ  線材
５１ｂ  線材
５３  スリーブ
５５  コネクタ
１００  眼鏡
１０１  テンプル
【図１】
2014007460.tif 000003
【図２】
2014007460.tif 000004
【図３】
2014007460.tif 000005
【図４】
2014007460.tif 000006
【図５】
2014007460.tif 000007
【図６】
2014007460.tif 000008
【図７】
2014007460.tif 000009
【図８】
2014007460.tif 000010
【図９】
2014007460.tif 000011
【図１０】
2014007460.tif 000012
【図１１】
2014007460.tif 000013